(57)【要約】【課題】【解決手段】試験−センサカートリッジが開示されている。試験−センサカートリッジは、流体試料の被分析物の濃度を決定するのを助け得るようにされた複数の試験センサを備える。試験−センサカートリッジは、複数の試験センサを収容し得るようにされた少なくとも１つのキャビティを形成する複数の壁を更に備えている。試験−センサカートリッジは、カートリッジの表面に形成された少なくとも１つの開口部を更に備えている。少なくとも１つの開口部は、カートリッジが適合可能な第一のセンサ−分与器具の少なくとも１つの突起の各々を受け入れ得るようにされる。少なくとも１つの開口部は、カートリッジが不適合な第二のセンサ−分与器具の少なくとも１つの突起の全てではないにしても少なくとも１つを受け入れ得るようにされている。
2009536551.tif 000002
【特許請求の範囲】
【請求項１】
試験−センサカートリッジにおいて、
流体試料の被分析物の濃度を決定するのを助け得るようにされた複数の試験センサと、
該複数の試験センサを収容し得るようにされた少なくとも１つのキャビティを形成する複数の壁と、
カートリッジの表面に形成された少なくとも１つの開口部と、を備え、
前記少なくとも１つの開口部は、カートリッジが適合可能な第一のセンサ−分与器具の少なくとも１つの突起の各々を受け入れ得るようになされ、
前記少なくとも１つの開口部は、カートリッジが不適合な第二のセンサ−分与器具の少なくとも１つの突起の全てではないが少なくとも１つを受け入れ得るようになされた、試験−センサカートリッジ。
【請求項２】
請求項１に記載のカートリッジにおいて、前記複数の試験センサは電気化学的試験センサである、カートリッジ。
【請求項３】
請求項１に記載のカートリッジにおいて、ブリスタ−パック型カートリッジである、カートリッジ。
【請求項４】
請求項３に記載のカートリッジにおいて、前記少なくとも１つの開口部は複数の開口部である、カートリッジ。
【請求項５】
請求項４に記載のカートリッジにおいて、前記複数の開口部は複数の切欠きである、カートリッジ。
【請求項６】
請求項４に記載のカートリッジにおいて、前記複数の開口部は互いに均一に隔てられている、カートリッジ。
【請求項７】
請求項４に記載のカートリッジにおいて、前記複数の開口部は互いに不均一に隔てられている、カートリッジ。
【請求項８】
請求項１に記載のカートリッジにおいて、前記第一のセンサ−分与器具の前記少なくとも１つの突起の数は、前記少なくとも１つの開口部の数と等しく又はそれよりも少ない、カートリッジ。
【請求項９】
請求項１に記載のカートリッジにおいて、前記第二のセンサ−分与器具の少なくとも１つの突起の数は、前記少なくとも１つの開口部の数よりも多い、カートリッジ。
【請求項１０】
請求項１に記載のカートリッジにおいて、前記少なくとも１つの開口部の位置付けは、カートリッジが前記第二の試験センサ−分与器具内にて割り出した位置にあるときに前記少なくとも１つのキャビティが前記第二のセンサ−分与器具の突き出し機構と整合しないようになるような位置付けである、カートリッジ。
【請求項１１】
請求項１に記載のカートリッジにおいて、前記少なくとも１つの開口部の位置付けは、カートリッジが前記センサ−分与器具内にて割り出した位置にあるときに前記少なくとも１つのキャビティが前記第二のセンサ−分与器具のセンサ−分与ポートと整合しないようになるような位置付けである、カートリッジ。
【請求項１２】
請求項１に記載のカートリッジにおいて、前記第一のセンサ−分与器具の前記少なくとも１つの突起の各々は、相応する少なくとも１つの開口部と全体として整合する、カートリッジ。
【請求項１３】
請求項１に記載のカートリッジにおいて、第二のセンサ−分与器具の少なくとも１つの突起の全てではないが少なくとも１つが、相応する１つの開口部と全体として整合する、カートリッジ。
【請求項１４】
請求項１に記載のカートリッジにおいて、積重ねた試験−センサカートリッジである、カートリッジ。
【請求項１５】
請求項１４に記載のカートリッジにおいて、前記突起は突き出し機構の上に配置される、カートリッジ。
【請求項１６】
試験−センサカートリッジにおいて、
流体試料の被分析物の濃度を決定するのを助け得るようにされた複数の試験センサと、
複数の試験センサを収容し得るようにされた少なくとも１つのキャビティを形成する複数の壁と、
カートリッジの表面に形成された少なくとも１つの突起と、を備え、
前記少なくとも１つの突起の各々は、カートリッジが適合可能である第一のセンサ−分与器具の少なくとも１つの開口部により受け入れられ得るようになされ、
前記少なくとも１つの突起の全部ではないが少なくとも１つが、カートリッジが不適合である第二のセンサ−分与器具の少なくとも１つの開口部により受け入れられ得るようにされた、試験−センサカートリッジ。
【請求項１７】
請求項１６に記載のカートリッジにおいて、前記複数の試験センサは電気化学的試験センサである、カートリッジ。
【請求項１８】
請求項１６に記載のカートリッジにおいて、ブリスタ−パック型カートリッジである、カートリッジ。
【請求項１９】
請求項１６に記載のカートリッジにおいて、前記少なくとも１つの開口部は複数の開口部である、カートリッジ。
【請求項２０】
請求項１９に記載のカートリッジにおいて、前記複数の開口部は複数の切欠きである、カートリッジ。
【請求項２１】
請求項１９に記載のカートリッジにおいて、前記複数の開口部は互いに均一に隔てられている、カートリッジ。
【請求項２２】
請求項１９に記載のカートリッジにおいて、前記複数の開口部は互いに不均一に隔てられている、カートリッジ。
【請求項２３】
請求項１６に記載のカートリッジにおいて、第一のセンサ−分与器具の少なくとも１つの開口部の数は、少なくとも１つの突起の数と等しく又はそれよりも少ない、カートリッジ。
【請求項２４】
請求項１６に記載のカートリッジにおいて、前記第二のセンサ−分与器具の前記少なくとも１つの開口部の数は、前記少なくとも１つの突起の数よりも多い、カートリッジ。
【請求項２５】
請求項１６に記載のカートリッジにおいて、前記少なくとも１つの突起の位置付けは、カートリッジが前記第二の試験センサ−分与器具内にて割り出した位置にあるときに前記少なくとも１つのキャビティが前記第二のセンサ−分与器具の突き出し機構と整合しないような位置付けである、カートリッジ。
【請求項２６】
請求項１６に記載のカートリッジにおいて、前記少なくとも１つの突起の位置付けは、カートリッジが前記センサ−分与器具内にて割り出した位置にあるときに前記少なくとも１つのキャビティが前記第二のセンサ−分与器具のセンサ−分与ポートと整合しないような位置付けである、カートリッジ。
【請求項２７】
請求項１６に記載のカートリッジにおいて、前記少なくとも１つの突起は、前記第一のセンサ−分与器具の相応する少なくとも１つの開口部と全体として整合する、カートリッジ。
【請求項２８】
請求項１６に記載のカートリッジにおいて、前記少なくとも１つの突起は、前記第二のセンサ−分与器具の前記少なくとも１つの開口部の全てではないが少なくとも１つと全体として整合する、カートリッジ。
【請求項２９】
試験センサカートリッジがセンサ−分与器具と適合可能であるかどうかを決定する方法において、
複数の試験センサを収容し得るようにされた少なくとも１つのキャビティを形成する複数の壁を含む試験−センサカートリッジであって、複数の試験センサが流体試料中の被分析物の濃度を決定するのを助け得るようにされ、複数の壁の少なくとも１つに形成された少なくとも１つの開口部を有する、前記試験−センサカートリッジを提供する行為と、
少なくとも１つの突起が配置されたセンサ−分与器具を提供する行為と、
試験−センサカートリッジをセンサ−分与器具内に挿入する行為と、
少なくとも１つの開口部が少なくとも１つの突起の各々を受け入れ得るようにされているかどうかに基づいて試験センサカートリッジがセンサ−分与器具と適合可能であるかどうかを決定する行為と、を備える、方法。
【請求項３０】
請求項２９に記載の方法において、前記複数の試験センサは電気化学的試験センサである、方法。
【請求項３１】
請求項２９に記載の方法において、前記試験−センサカートリッジは、ブリスタ−パック型カートリッジである、方法。
【請求項３２】
請求項２９に記載の方法において、前記少なくとも１つの開口部は少なくとも１つ切欠きである、方法。
【請求項３３】
請求項２９に記載の方法において、前記少なくとも１つの開口部は複数の開口部である、方法。
【請求項３４】
請求項３３に記載の方法において、前記複数の開口部は互いに均一に隔てられている、方法。
【請求項３５】
請求項３３に記載の方法において、前記複数の開口部は互いに不均一に隔てられている、方法。
【請求項３６】
請求項２９に記載の方法において、前記少なくとも１つの突起は複数の突起である、方法。
【請求項３７】
請求項３６に記載の方法において、前記複数の突起は、割り出し機構の周縁に沿って互いに均一に隔てられている、方法。
【請求項３８】
請求項２９に記載の方法において、前記少なくとも１つの開口部の数が前記少なくとも１つの突起の数よりも少ない場合、前記センサ−分与器具は、前記試験−センサカートリッジと不適合であるとされる、方法。
【請求項３９】
請求項２９に記載の方法において、前記試験−センサカートリッジは、積重ねた試験−センサカートリッジである、方法。
【請求項４０】
請求項３９に記載の方法において、前記少なくとも１つの突起は突き出し機構の上に配置される、方法。
【請求項４１】
請求項２９に記載の方法において、前記少なくとも１つの突起の各々を、相応する少なくとも１つの開口部により受け入れることができる場合、前記センサ−分与器具は前記試験−センサカートリッジと適合可能であり、また、前記少なくとも１つの突起を前記少なくとも１つの開口部により受け入れることができない場合、前記センサ−分与器具は前記試験−センサカートリッジと不適合であるとされる、方法。
【請求項４２】
試験センサカートリッジがセンサ−分与器具と適合可能であるかどうかを決定する方法において、
複数の試験センサを収容し得るようにされた少なくとも１つのキャビティを形成する複数の壁を含む試験−センサカートリッジであって、複数の試験センサが流体試料中の被分析物の濃度を決定するのを助け得るようにされ、複数の壁の少なくとも１つに形成された少なくとも１つの突起を有する、前記試験−センサカートリッジを提供する行為と、
少なくとも１つの開口部が配置されたセンサ−分与器具を提供する行為と、
試験−センサカートリッジをセンサ−分与器具内に挿入する行為と、
少なくとも１つの開口部が少なくとも１つの突起の各々を受け入れ得るようにされているかどうかに基づいて試験センサカートリッジがセンサ−分与器具と適合可能であるかどうかを決定する行為と、を備える、方法。
【請求項４３】
請求項４２に記載の方法において、前記複数の試験センサは電気化学的試験センサである、方法。
【請求項４４】
請求項４２に記載の方法において、前記試験−センサカートリッジは、ブリスタ−パック型カートリッジである、方法。
【請求項４５】
請求項４２に記載の方法において、前記少なくとも１つの開口部は少なくとも１つの切欠きである、方法。
【請求項４６】
請求項４４に記載の方法において、前記少なくとも１つの開口部は複数の開口部である、方法。
【請求項４７】
請求項４６に記載の方法において、前記複数の開口部は互いに均一に隔てられている、方法。
【請求項４８】
請求項４６に記載の方法において、前記複数の開口部は互いに不均一に隔てられている、方法。
【請求項４９】
請求項４２に記載の方法において、前記少なくとも１つの突起は複数の突起である、方法。
【請求項５０】
請求項４９に記載の方法において、前記複数の突起は、少なくとも１つの壁の周縁に沿って互いに均一に隔てられている、方法。
【請求項５１】
請求項４２に記載の方法において、前記少なくとも１つの開口部の数が前記少なくとも１つの突起の数よりも少ない場合、前記センサ−分与器具は前記試験−センサカートリッジと不適合であるとされる、方法。
【請求項５２】
請求項４２に記載の方法において、前記少なくとも１つの突起の各々を、相応する少なくとも１つの開口部により受け入れることができる場合、前記センサ−分与器具は前記試験−センサカートリッジと適合可能であり、また、前記少なくとも１つの突起を前記少なくとも１つの開口部により受け入れることができない場合、前記センサ−分与器具は前記試験−センサカートリッジと不適合であるとされる、方法。
【請求項５３】
試験−センサカートリッジにおいて、
流体試料中の被分析物の濃度を決定するのを助け得るようにされた複数の試験センサを収容し得るようにされた少なくとも１つのキャビティを形成する複数の壁と、
カートリッジの表面上に形成されて、試験−センサカートリッジを挿入するのを助ける、少なくとも１つの開口部とを備え、
試験−センサカートリッジがカートリッジが適合可能である第一のセンサ−分与器具内にて割り出されたとき、試験−センサキャビティは、突き出し機構と整合され、
試験−センサカートリッジがカートリッジが不適合である第二のセンサ−分与器具内にて割り出されたとき、試験−センサキャビティは、突き出し機構と整合されない、試験−センサカートリッジ。
【請求項５４】
請求項５３に記載のカートリッジにおいて、前記複数の試験センサは電気化学的試験センサである、カートリッジ。
【請求項５５】
請求項５３に記載のカートリッジにおいて、ブリスタ−パック型カートリッジである、カートリッジ。
【請求項５６】
請求項５３に記載のカートリッジにおいて、前記少なくとも１つの開口部は複数の開口部である、カートリッジ。
【請求項５７】
請求項５６に記載のカートリッジにおいて、前記複数の開口部は複数の切欠きである、カートリッジ。
【請求項５８】
請求項５６に記載のカートリッジにおいて、前記複数の開口部は、カートリッジの表面の周縁に沿って互いに均一に隔てられている、カートリッジ。
【請求項５９】
請求項５３に記載のカートリッジにおいて、前記第一のセンサ−分与器具の前記少なくとも１つの突起の数は、前記少なくとも１つの開口部の数と等しく又はそれよりも少ない、カートリッジ。
【請求項６０】
請求項５３に記載のカートリッジにおいて、前記少なくとも１つの開口部の位置付けは、カートリッジが前記第二の試験センサ−分与器具内にて割り出した位置にあるとき、少なくとも１つのキャビティが第二のセンサ−分与器具の突き出し機構と整合しないようになるような位置付けである、カートリッジ。
【請求項６１】
請求項５３に記載のカートリッジにおいて、前記少なくとも１つの開口部の位置付けは、カートリッジが前記センサ−分与器具内にて割り出した位置にあるとき、前記少なくとも１つのキャビティが前記第二のセンサ−分与器具のセンサ−分与ポートと整合しないようになるような位置付けである、カートリッジ。
【請求項６２】
請求項５３に記載のカートリッジにおいて、前記少なくとも１つの開口部は、前記第一のセンサ分与器具の相応する少なくとも１つの突起と全体として整合する、カートリッジ。
【発明の詳細な説明】
【技術分野】
【０００１】
［００１］  本発明は、全体として、センサ−分与器具、特に、異なる型式及び（又は）世代の被分析物−試験器具（例えば、計器）間の互換性を制限する試験−センサパッケージに関する。
【背景技術】
【０００２】
［００２］  体液中の被分析物を定量的に決定することは、ある生理学的異常を診断し且つ修復する上で極めて重要なことである。例えば、特定の人の乳酸塩、コレステロール及びビリルビンを監視しなければならない。特に、その食物中のグルコース摂取量を調節するためその体液中のグルコースレベルを頻繁にチェックしなければならない糖尿病患者にとって体液中のグルコースを決定することは重要なことである。かかる試験の結果を使用して、インスリン及び（又は）その他の薬剤を投与する必要があるかどうかを決定することができる。１つの型式の試験システムにおいて、試験センサを使用して血液試料のような流体を採取する。
【発明の開示】
【発明が解決しようとする課題】
【０００３】
［００３］  人間の血糖レベルを監視する１つの方法は、携帯型、持ち運び型の血糖試験装置（例えば、計器）にて行われる。計器にて血糖レベルを決定するため、皮膚組織を穿刺し且つ全血試料が皮膚の表面上にて形成することを許容する針ランセットと共に、ランセット装置を使用することができる。必須の量の血液が皮膚の表面上に形成されたとき、血液試料を試験センサに移す。試験センサは、一般に、計器の本体の開口部内に配置される。
【０００４】
［００４］  流体中の被分析物を試験するため使用される試験センサを個別に分与すべく一般に試験−センサカートリッジが使用されている。カートリッジは、例えば、グルコース計器内に直接、組み込み、計器と共に使用し得るように試験センサを分与する。カートリッジは、多数のセンサを格納し且つユーザが多数のセンサを単一のエンクロージャの周りに保持するため使用される。試験−センサカートリッジは、計器の相応する特徴部と合わさってカートリッジ内に配置された試験センサを割り出し且つ（又は）切り出すのを助ける設計とされた特徴部を含む。カートリッジは、使用のためカートリッジが必要とされる迄、センサが環境に曝されるのを防止し又は阻止するのも助ける。試験中、血液又は体液試料は、センサ上に配置し且つ計器又は器具にて分析して検査中の被分析物の濃度を決定することができる。
【０００５】
［００５］  異なる型式の試験センサ又は試験センサの形態は、これらセンサに関連した顕著な相違点を有するから、その試験センサと共に使用するよう設計されていない計器と共にそれらの試験センサが使用されたとき問題が生ずる。この問題は、例えば、ユーザが試験−センサカートリッジ内に配置された試験センサと適合しない計器内に試験−センサカートリッジを配置したときに生ずるであろう。異なる型式の試験センサは、必要とされる流体試料の量、及び被分析物の濃度を決定するため被分析物との必要な反応時間の長さのようなファクタに影響を与える異なる型式のセンサ試薬を含むであろう。更に、異なる試験センサは、試験手順、試験時間、アルゴリズム、電圧、較正情報又は同様のものを含む、異なる分析プロトコル又はプログラムに相応するであろう。
［００６］  ユーザが試験−センサカートリッジが所定の計器と適合しないと判断することは難しいであろう。この困難性は、多くのカートリッジは、全体として汎用的な寸法及び形態をしており、このため、色々な型式及び（又は）世代の計器に嵌合できることから一層、増幅される。更に、計器は、全体として、特定の試験センサと関係したプロトコルを実行し且つプログラムを実施するような設計とされている。このため、不適合な試験−センサカートリッジ及び計器は、一般に、不正確な試験結果を生じさせ且つ、その結果、追加的な試験が行われることとなり、このことは、ユーザにとって不便で且つ費用の掛かることである。
【０００６】
［００７］  異なる型式及び（又は）世代のセンサ−分与器具との試験センサの互換性を制限する試験−センサパッケージを提供することが望ましい。
【課題を解決するための手段】
【０００７】
［００８］  本発明の１つの実施の形態に従い、試験−センサカートリッジが開示される。試験−センサカートリッジは、流体試料の被分析物の濃度を決定するのを助け得るようにされた複数の試験センサを備えている。試験−センサカートリッジは、複数の試験センサを収容し得るようにされた少なくとも１つのキャビティを形成する複数の壁を備えている。試験−センサカートリッジは、カートリッジの表面に形成された少なくとも１つの開口部を更に備えている。少なくとも１つの開口部は、カートリッジが適合可能である第一のセンサ−分与器具の少なくとも１つの突起の各々を受け入れ得るようにされている。その少なくとも１つの開口部は、カートリッジが不適合である第二のセンサ−分与器具の少なくとも１つの突起の全部ではないにしても、その少なくとも１つを受け入れ得るようにされている。
【０００８】
［００９］  本発明の別の実施の形態に従い、試験−センサカートリッジが開示される。試験−センサカートリッジは、流体試料の被分析物の濃度を決定するのを助け得るようにされた複数の試験センサを備えている。試験−センサカートリッジは、複数の試験センサを収容し得るようにされた少なくとも１つのキャビティを形成する複数の壁を更に備えている。試験−センサカートリッジは、カートリッジの表面に形成された少なくとも１つの突起を更に備えている。少なくとも１つの突起の各々は、カートリッジが適合可能である第一のセンサ−分与器具の少なくとも１つの開口部により受け入れ得るようにされている。少なくとも１つの突起の全部ではないにしても、その少なくとも１つは、カートリッジが不適合である第二のセンサ−分与器具の少なくとも１つの開口部により受け入れられ得るようにされている。
【０００９】
［００１０］  本発明の別の実施の形態に従って、試験−センサカートリッジがセンサ−分与器具と適合可能であるかどうかを決定する方法が開示されている。該方法は、少なくとも１つのキャビティを形成する複数の壁を含む試験−センサカートリッジを提供する行為を含む。少なくとも１つのキャビティは、複数の試験センサを収容し得るようにされている。複数の試験センサは、流体試料中の被分析物の濃度を決定するのを助け得るようにされている。試験センサカートリッジは、複数の壁の少なくとも１つに形成された少なくとも１つの開口部を有している。該方法は、少なくとも１つの突起が配置されたセンサ−分与器具を提供するステップを更に備えている。該方法は、試験−センサカートリッジをセンサ−分与器具内に挿入するステップを更に備えている。該方法は、少なくとも１つの開口部が少なくとも１つの突起の各々を受け入れ得るようにされているかどうかに基づいて、試験センサカートリッジがセンサ−分与器具と適合可能であるかどうかを決定するステップを更に備えている。
【００１０】
［００１１］  本発明の別の実施の形態に従って、試験−センサカートリッジがセンサ−分与器具と適合可能であるかどうかを決定する方法が開示されている。該方法は、少なくとも１つのキャビティを形成する複数の壁を含む試験−センサカートリッジを提供する行為を含む。少なくとも１つのキャビティは、複数の試験センサを収容し得るようにされている。複数の試験センサは、流体試料中の被分析物の濃度を決定するのを助け得るようにされている。試験センサカートリッジは、複数の壁の少なくとも１つに形成された少なくとも１つの突起を有している。該方法は、少なくとも１つの開口部が配置されたセンサ−分与器具を提供するステップを更に備えている。該方法は、試験−センサカートリッジをセンサ−分与器具内に挿入するステップを更に備えている。該方法は、少なくとも１つの開口部が少なくとも１つの突起の各々を受け入れ得るようにされているかどうかに基づいて、試験センサカートリッジがセンサ−分与器具と適合可能であるかどうかを決定するステップを更に備えている。
【００１１】
［００１２］  本発明の別の実施の形態に従い、試験−センサカートリッジが開示されている。試験−センサカートリッジは、少なくとも１つのキャビティを形成する複数の壁を備えている。少なくとも１つのキャビティは、複数の試験センサを収容し得るようにされている。複数の試験センサは、流体試料中の被分析物の濃度を決定するのを助け得るようにされている。試験センサカートリッジは、カートリッジの表面に形成された少なくとも１つの開口部を更に備えている。少なくとも１つの開口部は、試験−センサカートリッジを割り出すのを助ける。カートリッジが適合可能にある第一のセンサ−分与器具内にて試験−センサカートリッジが割り出されたとき、試験−センサキャビティは、突き出し機構と整合される。カートリッジが不適合である第二のセンサ−分与器具内にて試験−センサカートリッジが割り出されたとき、試験−センサキャビティは、突き出し機構と整合されない。
【発明を実施するための最良の形態】
【００１２】
［００１３］  本発明の上記の概要は、本発明の各実施の形態の各々又はその特徴の各々を表わすことを意図するものではない。本発明の追加的な特徴及び有利な点は、以下の詳細な説明及び図面から明らかである。
【００１３】
［００２５］  本発明は、色々な型式及び（又は）世代のセンサ−分与器具（例えば、計器）間での試験−センサカートリッジの互換性を制限することを目的とするものである。カートリッジから切り出された試験センサ（例えば、バイオセンサ）は、流体試料中の被分析物の濃度を決定すべく使用することができる。収集し且つ分析可能な被分析物の型式の幾つかの例は、グルコース、脂質プロファイル（例えば、コレステロール、中性脂肪、ＬＤＬ、ＨＤＬ）、微量アルブミン、フルクトース、乳酸塩又はビリルビンを含む。しかし、本発明は、これらの特定の被分析物にのみ限定されるものではなく、その他の被分析物の濃度を決定することができると考えられる。被分析物は、例えば、全血試料、血清試料、血漿試料、又はＩＳＦ（間質液）及び（又は）尿のようなその他の体液とすることができる。試験−センサカートリッジ及び計器の非限定的な使用例は、ユーザの血液、血漿又はＩＳＦ中のグルコース濃度を決定する場合である。
【００１４】
［００２６］  被分析物の濃度を決定するとき使用される試験センサには、典型的に、試験センサの前端又は試験端から試験センサ内に配設されたバイオセンシング材料又は試薬材料まで伸びる毛管チャネルが設けられる。試薬は、全体として、試験すべき所望の１つ又はより多くの被分析物と反応するよう適正に選んだ酵素を含む。試薬は、試験センサの長期の貯蔵寿命を促進し得るよう乾燥したインクの形態にて試験センサ内に格納することができる。試験センサの試験端が流体（例えば、指を穿刺した後、人間の指に蓄積した血液）中に配置されたとき、流体の一部分は、毛管作用により毛管チャネル内に吸引される。次に、流体は、試験センサ内の試薬材料と混合し、また、試薬材料と化学的に反応し、このため、試験中の流体中の被分析物（例えば、グルコース）のレベルを表示する電気信号が発生され、その後、この電気信号は、センサ−分与器具又は計器に伝送される。
【００１５】
［００２７］  使用可能である１つの型式の試験センサは、電気化学的試験センサである。電気化学的試験センサの非限定的な例が図１に示されている。図１には、毛管チャネル７２と、計器の接触領域８６と、複数の電極７６、８０、８４とを含む試験センサ７０が示されている。毛管チャネル７２は試薬を収容している。複数の電極は、作用（測定）電極８０と、対向電極７６と、選択的なトリガー電極８４とを含む。トリガー電極８４は、十分な血液試料がセンサ７０上に配置されたかどうかを決定するのを助けることができる。電気化学的試験センサは、その他の数及び（又は）型式の電極を収容することもできる。電気化学的試験センサの例は、それらの作用を含んで、例えば、バイエルコーポレーション（Ｂａｙｅｒ  Ｃｏｒｐｏｒａｔｉｏｎ）に譲渡された米国特許明細書６，５３１，０４０号に見ることができる。その他の電気化学的試験センサを採用することができると考えられる。非限定的に、光試験センサを含んで、その他の型式の試験センサを使用することができるとも考えられる。
【００１６】
［００２８］  複数の試験センサは、典型的に、使い捨て型試験−センサカートリッジ内に格納されている。例えば、複数の試験センサは、カートリッジ内に格納してもよく、この場合、試験センサは、全体として、センサキャビティ内にて整合され且つ個々に、包装される（例えば、ブリスタ型パック）。センサ−分与器具又は計器１０２内に配置される使い捨て型カートリッジ１００の一例が図２に示されている。使い捨て型カートリッジ１００は、ブリスタ型パックの一例である。カートリッジ１００は、複数の試験−センサキャビティ１１４を形成する複数の壁を有する、全体として平坦な面１０３を含む。複数の試験センサ１１２は、個々に、複数のセンサキャビティ１１４のそれぞれの１つ内に格納されている。カートリッジ１００は、正確な試験を行なうのに十分な水分レベルに試験センサ１１２を維持する少なくとも１つの乾燥剤区画１１６を更に含む。図２の使い捨て型カートリッジ１００は、２００３年２月１３日付けにて公告された、「血糖センサ−分与器具用のメカニカル的機構（Ｍｅｃｈａｎｉｃａｌ  Ｍｅｃｈａｎｉｓｍ  ｆｏｒ  ａ  Ｂｌｏｏｄ  Ｇｌｕｃｏｓｅ  Ｓｅｎｓｏｒ−Ｄｉｓｐｅｎｓｉｎｇ  Ｉｎｓｔｒｕｍｅｎｔ）」という名称の米国特許公告２００３／００３２１９０号に更に記載されている。その他の型式のブリスタ型パック及びその他の型式のカートリッジを使用することもできると考えられる。
【００１７】
［００２９］  図２のカートリッジ１００は、複数の開口部を更に含む。図示した実施の形態において、開口部は、全体として平坦な面１０３の周縁に沿って配置された切欠きを含むが、本発明と共に、カートリッジ１００の適当な部分に沿って配置されたその他の型式の開口部を使用することもできると考えられる。開口部は、図示した実施の形態のもの以外の形状とすることができるとも考えられる。例えば、開口部は、カートリッジ１００の周縁に沿って形成された１つ又はより多くの切欠き、又は周縁からある距離に形成された１つ又はより多くの開口又は同様のものの形態としてもよい。本明細書にて言及した切欠きは、図示した実施の形態のＶ字形を含むが、これにのみ限定されない任意の形状とすることができると更に考えられる。
【００１８】
［００３０］  図２の実施の形態を再度、参照すると、複数の開口部は、計器１０２内にて割り出し機構１２１上に配置された、複数の突起又はポスト１２０の相応する１つを受け入れ得るようにされた複数の切欠き１１８を含む。本発明と共に、図示した実施の形態に示したポスト１２０以外の突起を使用することができると考えられる。図２の実施の形態において、割り出し機構１２１は、ホイールの形態をしており、また、ポスト１２０がホイールの周縁に沿って配置されている。しかし、本発明と共に、その他の型式の割り出し機構を使用することもできると考えられる。図示した実施の形態における切欠き１１８の数は、ポスト１２０の数（すなわち１０）に相応する。カートリッジ１００を計器１０２内に挿入するため、切欠き１１８の各々は、相応するポスト１２０と全体として整合されている。ポスト１２０及び切欠き１１８は、カートリッジ１００を割り出し機構１２１の上方のその位置に保持し、試験前にカートリッジ１００を回転させ且つ割り出すのを全体として助ける。ポスト１２０及び切欠き１１８は、試験−センサキャビティ１１４を突き出し機構及び試験−センサ分与ポート１２２と整合させ、試験のため試験センサ１１２を突き出すことができるようにすることも助ける。
【００１９】
［００３１］  試験の前、センサ１１２が試験−センサ分与ポート１２２と整合されたとき、ナイフ又はブレードを含むことのできる突き出し機構は、側方向に（すなわち、矢印Ａの方向）に向けて動かし且つ、試験−センサキャビティ１１４の第一の端部にてシールを穿刺することができる。次に、突き出し機構は、試験センサ１１２と係合し、試験センサ１１２を矢印Ａの方向に押す。次に、試験センサ１１２は、試験−センサキャビティ１１４の他端にてシールを穿刺し且つ破断させる。次に、試験センサ１１２は、試験−センサ分与ポート１２２から読み取り位置に切り出し、この読み取り位置にて、試験センサ１１２は、計器１０２の電気接点と整合され、被分析物の試験を実行することができる。
【００２０】
［００３２］  色々な型式の計器及び（又は）世代の計器は、異なる数及び（又は）形態のポストを含むことができる。図３ａ−３ｄには、割り出し機構２００、２２０、２４０、２６０の非限定的な例の代表図が示されている。割り出し機構２００、２２０、２４０、２６０の各々は、異なる数のポスト２０２、２２２、２４２、２６２をそれぞれ有している。図３ａの割り出し機構２００は、均一に隔てられた５つのポスト２０２を含む。図３ｂの割り出し機構２２０は、均一に隔てられた１０のポスト２２２を含む。図３ｃの割り出し機構２４０は、均一に隔てられた２つのポスト２４２を含む。図３ｄの割り出し機構２６０は、割り出し機構２６０の周縁の一部分（約半分）にわたって均一に隔てられた５つの切欠き３６２を含む。割り出し機構は、図３ａ−３ｃの実施の形態のポストの数とは異なる数のポストを含むことができると考えられる。ポストは、図示した実施の形態に示したもの以外の態様にて割り出し機構に沿って配置することができると更に考えられる。例えば、ポストは、割り出し機構又はその一部分の周縁又はその他の部分に沿って不均一に隔てられるようにしてもよい。
【００２１】
［００３３］  本発明に従って、試験センサ−カートリッジ上の開口部の数及び（又は）位置を変化させることにより、不適合な試験−センサカートリッジの使用が阻止又は防止される。開口部の数及び（又は）位置は、（１）試験センサが適合可能な計器の突起の数及び位置、また、（２）試験センサが不適合である計器の突起の数及び位置に基づいて決定することができる。このように、試験−センサカートリッジの開口部は、適合可能な計器の突起の全てを受け入れ得るようにされる一方、不適合な計器の少なくとも１つの突起は、試験−センサカートリッジの開口部内に嵌合しない。計器の少なくとも１つの突起が不適合な計器の開口部内に嵌合しないよう、試験−センサカートリッジの開口部の数及び（又は）位置を変化させることにより、カートリッジの計器内への嵌合は阻止又は防止させる。このように、ユーザは、特定の試験−センサカートリッジをその特定の計器と共に使用すべきではないと直ちに判断することができる。
【００２２】
［００３４］  例えば、図４ａを参照すると、均一に隔てられた１０の切欠き３０２を有するカートリッジ３００の代表図が示されている。図４ｂ−４ｅには、図３ａ−３ｄの割り出し機構２００、２２０、２４０、２６０と関係してそれぞれ使用されるカートリッジ３００が示されている。カートリッジ３００の切欠き３０２の数及び形態は、色々な割り出し機構２００、２２０、２４０、２６０のポスト２０２、２２２、２４２、２６２の全てが切欠き３０２の相応する１つに嵌まることができるようなものである。このように、カートリッジ３００は図３ａ−３ｃの割り出し機構２００、２２０、２４０、２６０を有する計器内に嵌まり、これにより、カートリッジ３００の試験センサが相応する計器の各々と適合可能であることを示す。
【００２３】
［００３５］  次に、図５ａを参照すると、均一に隔てられた５つの切欠き４０２を有するカートリッジ４００の代表図が示されている。図５ｂ−５ｅには、図３ａ−３ｄの割り出し機構２００、２２０、２４０、２６０とそれぞれ関係して使用されるカートリッジ４００が示されている。図５ｂを参照すると、カートリッジ４００は、割り出し機構２２０内に嵌合し、該カートリッジは割り出し機構２００の周縁にて均一に配置された相応する５つのポスト２０２を含む。しかし、図５ｃ−５ｅに示したように、カートリッジ４００は、それぞれ図３ｂ−３ｄの割り出し機構２２０、２４０、２６０内に嵌合しない。図５ｃを参照すると、割り出し機構２２０は、カートリッジ４００の切欠き４０２（５つ）よりも多くの（１０）ポスト２２２を含む。このため、１０のポスト２２２の５つ（すなわち１つおきのポスト２２２ａ）は、カートリッジ４００の表面１０３とぶつかり、このため、ユーザに対しカートリッジ４００が割り出し機構２２０を含む計器と不適合であることを示す。図５ｄに示したように、図３ｃの割り出し機構２４０の２つのポスト２４２の１つは、カートリッジ４００の切欠き４０２内に嵌まらない。同様に、図５ｅに示したように、割り出し機構２６０の５つのポスト２６２の最大３つが切欠き４０２内に嵌まる。図５ｄ−５ｅにおいて、切欠き４０２の数は、それぞれポスト２４２、２６２の数よりも多く又はその数と同一であるが、ポスト２４２、２６２の少なくとも１つは、切欠き４０２の少なくとも１つと整合されず、このため、ユーザに対しカートリッジ４００は相応する割り出し機構２４０、２６０を有する計器と不適合であることを示す。
【００２４】
［００３６］  図示した実施の形態の切欠き３０２、４０２は、それぞれのカートリッジ３００、４００の周縁に沿って均一に隔てられているが、本発明のカートリッジはその他の位置に配置された切欠き又はその他の開口部を有することもできると考えられる。例えば、切欠き又はその他の開口部は、カートリッジの周縁の一部分に沿ってのみ配置し、カートリッジの周縁にて不均一に配置され、カートリッジの（例えば、周縁ではなく）平坦面に均一に又は不均一に配置され、又はその組み合わせとされ又は同様の形態とすることができる。更に、例えば、単一の開口部及び（又は）突起を含んで異なる数の開口部及び（又は）突起を使用することもできると考えられる。
【００２５】
［００３７］  本発明の着想は、計器の１つの構成要素（例えば、計器内の割り出し機構）が開口部を含み、また、試験−センサカートリッジは、少なくとも１つの開口部と合わさり得るようにされた突起を含む、計器／カートリッジの組立体に適用することもできる。かかる計器／カートリッジ組立体４５０の一例は、図６に示されている。計器／カートリッジ組立体４５０は、突起４５８を有する試験−センサカートリッジ４５４を含む。突起４５８は、その他の位置、形状、それらの組み合わせ又は同様のものを有することができると考えられる。計器／カートリッジ組立体４５０は、割り出し機構４７２に配置された開口部４６８を有する計器４６２も含む。開口部４６８は、その他の位置、形態、それらの組み合わせ又は同様のものを有することができると考えられる。カートリッジの突起４５８は、適合可能な計器の開口部がカートリッジ４５４の突起４５８の全てを受け入れ得るように配置される。不適合な計器の開口部は、カートリッジ４５４の突起４５８の全てではないにしても少なくとも１つを受け入れ、これによりユーザに対しカートリッジ４５４が計器と不適合であることを示し得るようにされている。
【００２６】
［００３８］  本発明は、積重ねた試験−センサカートリッジが不適合なセンサ−分与器具と共に使用されるのを阻止又は防止すべく適用することもできる。例えば、図７ａ、図７ｂを参照すると、積重ねた試験−センサカートリッジ４７４は、基部４７８と、前壁４８０と、後壁４８２と、対向する側壁４８４ａ、４８４ｂと、カバー（図示せず）とを含む。カートリッジ４７４は、側壁４８４ａ、４８４ｂ、前壁４８０、後壁４８２、基部４７８により形成された中央キャビティ４８８内に且つ、基部４７８と頂部カバーとの間にて複数の積重ねた試験センサ４８６を受け入れ得るようにされている。試験−センサカートリッジ４７４は、試験−センサ保持機構４９０（例えば、ばね）を更に含み、試験センサ４８６が互いに接触し且つ前壁４８０の内面と面一の状態を保つことを保証する。前壁４８０は、全体として、計器の４７６の突き出し機構４９４の少なくとも１つの突起４９３を開口部４９２を通して挿入することを許容し得るようにされた開口部４９２を含む。次に、突き出し機構４９４は、試験センサ４８６と係合し、試験センサ４８６をカートリッジ４７４のスロット４９６及びカートリッジ４７４のスロット４９６と全体として整合された計器の４７６のスロット４９８を通して突き出すことができるようにする。
【００２７】
［００３９］  本発明に従い、開口部４９２は、試験−センサカートリッジ４７４と適合可能な計器の突き出し機構４９４を受け入れ得るような配置及び（又は）寸法とされている。開口部４９２は、不適合な計器の突き出し機構４９４が開口部４９２内に嵌合しないような配置及び（又は）寸法ともされている。このように、ユーザが計器と不適合なカートリッジから試験センサ４８６を突き出そうとするとき、不適合な計器の突き出し機構は試験センサと係合しない。このため、試験センサは突き出されず、このようにして、ユーザに対し試験−センサカートリッジ４７４が特定の計器と不適合であることを示す。
【００２８】
［００４０］  積重ねた試験−センサカートリッジのその他の特徴部を色々な型式及び（又は）世代の計器の間にてカートリッジの互換性を制限し得るような配置、寸法、形状とし、又はその組み合わせとし又は同様のものとすることもできると考えられる。例えば、基部４７８、前壁４８０、後壁４８２、壁４８４ａ、４８４ｂ、カバー又はそれらの組み合わせの寸法及び（又は）形状は、カートリッジ４７４が適合可能な計器内にのみ嵌まるような寸法及び（又は）形状とすることができる。これと代替的に又は追加的に、スロット４９６は、カートリッジ４７４が不適合な計器と共に使用されるのを制限し得るような寸法、形状及び（又は）配置とすることができる。例えば、スロット４９６は、スロット４９６が不適合な計器のスロット（例えば、図７ｂのスロット４９８）と整合しないよう配置することができる。カートリッジ４７４のその他の構成要素の寸法、形状、位置、それらの組み合わせ又は同様のものをこれに応じて変更することも可能であると考えられる。本発明と共に、積重ねたその他の試験−センサカートリッジを使用することもできると考えられる。
【００２９】
［００４１］  試験−センサカートリッジの開口部の数及び（又は）位置の不一致に対する代替例又はそれに加えて、試験センサ及び相応する試験−センサキャビティに対する開口部の位置を偏位させることもできる。開口部は、試験センサ及び相応する試験−センサキャビティを突き出し機構及び計器のセンサ−分与ポートに対して配置し且つ整合させることを助けるから、開口部を偏位させることは、突き出し機構が試験センサと係合し且つ試験センサを突き出すことがないようにする。このことは、ユーザに対し試験−センサカートリッジが計器と不適合であることを追加的に又は代替的に示す作用を果たす。
【００３０】
［００４２］  試験センサ及びカートリッジの試験−センサキャビティの位置に対する試験−センサカートリッジの開口部の位置を偏位させる一例が図８に示されている。図８には、カートリッジ５００と接続して使用される図２の計器の１０２が示されている。カートリッジ５００は、複数の切欠き５１８を含み且つ、全体として図２のカートリッジ１００と同様である。しかし、カートリッジ５００の切欠き５１８の位置は、図２のカートリッジ１００の切欠き１１８の位置から僅かに偏位されている。計器１０２は、試験センサ及び試験−センサキャビティに対する特定の距離に配置された切欠きを有するカートリッジ（例えば、カートリッジ１００）と共に使用し得る形態とされているから、切り欠きを試験−センサ及び試験−センサキャビティに対し偏位させることは、突き出し機構が試験センサと係合し且つ試験センサを突き出すことはないようにする。このように、この着想を図５ｃ−５ｅのカートリッジに適用することにより、カートリッジ４００が割り出し機構２２０、２４０、２６０を有する計器内に多少押し込まれたときでさえ、相応する計器の突き出し機構が試験センサに係合し且つ試験センサを突き出すことはなくなる。
【００３１】
代替的な実施の形態Ａ
［００４３］  試験−センサカートリッジにおいて、
流体試料の被分析物の濃度を決定するのを助け得るようにされた複数の試験センサと、
複数の試験センサを収容し得るようにされた少なくとも１つのキャビティを形成する複数の壁と、
カートリッジの表面に形成された少なくとも１つの開口部とを備え、
少なくとも１つの開口部は、カートリッジが適合可能な第一のセンサ−分与器具の少なくとも１つの突起の各々を受け入れ得るようにされ、
少なくとも１つの開口部は、カートリッジが不適合な第二のセンサ−分与器具の少なくとも１つの突起の全てではないにしても少なくとも１つを受け入れ得るようにされた、上記の試験−センサカートリッジである。
【００３２】
代替的な実施の形態Ｂ
［００４４］  複数の試験センサは電気化学的試験センサである、代替的な実施の形態Ａのカートリッジである。
【００３３】
代替的な実施の形態Ｃ
［００４５］  試験−センサカートリッジは、ブリスタ−パック型カートリッジである、代替的な実施の形態Ａのカートリッジである。
【００３４】
代替的な実施の形態Ｄ
［００４６］  少なくとも１つの開口部は複数の開口部である、代替的な実施の形態Ｃのカートリッジである。
【００３５】
代替的な実施の形態Ｅ
［００４７］  複数の開口部は複数の切欠きである、代替的な実施の形態Ｄのカートリッジである。
【００３６】
代替的な実施の形態Ｆ
［００４８］  複数の開口部は均一に隔てられている、代替的な実施の形態Ｄのカートリッジである。
【００３７】
代替的な実施の形態Ｇ
［００４９］  複数の開口部は不均一に隔てられている、代替的な実施の形態Ｄのカートリッジである。
【００３８】
代替的な実施の形態Ｈ
［００５０］  第一のセンサ−分与器具の少なくとも１つの突起の数は、少なくとも１つの開口部の数と等しく又はそれよりも少ない、代替的な実施の形態Ｃのカートリッジである。
【００３９】
代替的な実施の形態Ｉ
［００５１］  第二のセンサ−分与器具の少なくとも１つの突起の数は、少なくとも１つの開口部の数よりも多い、代替的な実施の形態Ｃのカートリッジである。
【００４０】
代替的な実施の形態Ｊ
［００５２］  少なくとも１つの開口部は、カートリッジが第二の試験センサ−分与器具内にて割り出した位置にあるとき、少なくとも１つのキャビティが第二のセンサ−分与器具の突き出し機構と整合しないように配置される、代替的な実施の形態Ｃのカートリッジである。
【００４１】
代替的な実施の形態Ｋ
［００５３］  少なくとも１つの開口部は、カートリッジがセンサ−分与器具内にて割り出した位置にあるとき、少なくとも１つのキャビティが第二のセンサ−分与器具のセンサ−分与ポートと整合しないように配置される、代替的な実施の形態Ｃのカートリッジである。
【００４２】
代替的な実施の形態Ｌ
［００５４］  第一のセンサ−分与器具の少なくとも１つの突起の各々は、相応する少なくとも１つの開口部と全体として整合する、代替的な実施の形態Ａのカートリッジである。
【００４３】
代替的な実施の形態Ｍ
［００５５］  第二のセンサ−分与器具の少なくとも１つの突起の全てではないにしても、少なくとも１つは、相応する１つの開口部と全体として整合する、代替的な実施の形態Ａのカートリッジである。
【００４４】
代替的な実施の形態Ｎ
［００５６］  試験−センサカートリッジは、積重ねた試験−センサカートリッジである、代替的な実施の形態Ａのカートリッジである。
【００４５】
代替的な実施の形態Ｏ
［００５７］  突起は突き出し機構の上に配置される、代替的な実施の形態Ｎのカートリッジである。
【００４６】
代替的な実施の形態Ｐ
［００５８］  試験−センサカートリッジにおいて、
流体試料の被分析物の濃度を決定するのを助け得るようにされた複数の試験センサと、
複数の試験センサを収容し得るようにされた少なくとも１つのキャビティを形成する複数の壁と、
カートリッジの表面に形成された少なくとも１つの突起とを備え、
少なくとも１つの突起の各々は、カートリッジが適合可能である第一のセンサ−分与器具の少なくとも１つの開口部に受け入れられ得るようにされ、
少なくとも１つの突起の全部ではないにしても、その少なくとも１つは、カートリッジが不適合である第二のセンサ−分与器具の少なくとも１つの開口部により受け入れられ得るようにされた、上記の試験−センサカートリッジである。
【００４７】
代替的な実施の形態Ｑ
［００５９］  複数の試験センサは電気化学的試験センサである、代替的な実施の形態Ｐのカートリッジである。
【００４８】
代替的な実施の形態Ｒ
［００６０］  試験−センサカートリッジはブリスタ−パック型カートリッジである、代替的な実施の形態Ｐのカートリッジである。
【００４９】
代替的な実施の形態Ｓ
［００６１］  少なくとも１つの開口部は複数の開口部である、代替的な実施の形態Ｒのカートリッジである。
【００５０】
代替的な実施の形態Ｔ
［００６２］  複数の開口部は複数の切欠きである、代替的な実施の形態Ｓのカートリッジである。
【００５１】
代替的な実施の形態Ｕ
［００６３］  複数の開口部は均一に隔てられている、代替的な実施の形態Ｓのカートリッジである。
【００５２】
代替的な実施の形態Ｖ
［００６４］  複数の開口部は不均一に隔てられている、代替的な実施の形態Ｓのカートリッジである。
【００５３】
代替的な実施の形態Ｗ
［００６５］  第一のセンサ−分与器具の少なくとも１つの開口部の数は、少なくとも１つの突起の数と等しく又はそれよりも少ない、代替的な実施の形態Ｒのカートリッジである。
【００５４】
代替的な実施の形態Ｘ
［００６６］  第二のセンサ−分与器具の少なくとも１つの開口部の数は、少なくとも１つの突起の数よりも多い、代替的な実施の形態Ｒのカートリッジである。
【００５５】
代替的な実施の形態Ｙ
［００６７］  少なくとも１つの突起は、カートリッジが第二のセンサ−分与器具内にて割り出した位置にあるとき、少なくとも１つのキャビティが第二のセンサ−分与器具の突き出し機構と整合しないように配置される、代替的な実施の形態Ｒのカートリッジである。
【００５６】
代替的な実施の形態Ｚ
［００６８］  少なくとも１つの突起は、カートリッジがセンサ−分与器具内にて割り出した位置にあるとき、少なくとも１つのキャビティが第二のセンサ−分与器具のセンサ−分与ポートと整合しないように配置される、代替的な実施の形態Ｒのカートリッジである。
【００５７】
代替的な実施の形態ＡＡ
［００６９］  少なくとも１つの突起は、第一のセンサ分与器具の相応する少なくとも１つの開口部と全体として整合する、代替的な実施の形態Ｐのカートリッジである。
【００５８】
代替的な実施の形態ＡＢ
［００７０］少なくとも１つの突起は、第二のセンサ−分与器具の少なくとも１つの開口部の全てではないにしても少なくとも１つと全体として整合する、代替的な実施の形態Ｐのカートリッジである。
【００５９】
代替的な実施の形態ＡＣ
［００７１］  試験センサカートリッジがセンサ−分与器具と適合可能であるかどうかを決定する方法において、
複数の試験センサを収容し得るようにされた少なくとも１つのキャビティを形成する複数の壁を含む試験−センサカートリッジであって、少なくとも１つのキャビティが複数の試験センサが流体試料中の被分析物の濃度を決定するのを助け得るようにされ、複数の壁の少なくとも１つに形成された少なくとも１つの開口部を有する上記の試験−センサカートリッジを提供する行為と、
少なくとも１つの突起が配置されたセンサ−分与器具を提供する行為と、
試験−センサカートリッジをセンサ−分与器具内に挿入する行為と、
少なくとも１つの開口部が少なくとも１つの突起の各々を受け入れ得るようにされているかどうかに基づいて試験センサカートリッジがセンサ−分与器具と適合可能であるかどうかを決定する行為とを備える、方法である。
【００６０】
代替的な実施の形態ＡＤ
［００７２］  複数の試験センサは電気化学的試験センサである、代替的な実施の形態ＡＣの方法である。
【００６１】
代替的な実施の形態ＡＥ
［００７３］  試験−センサカートリッジは、ブリスタ−パック型カートリッジである、代替的な実施の形態ＡＣの方法である。
【００６２】
代替的な実施の形態ＡＦ
［００７４］  少なくとも１つの開口部は少なくとも１つの切欠きである、代替的な実施の形態ＡＥの方法である。
【００６３】
代替的な実施の形態ＡＧ
［００７５］  少なくとも１つの開口部は複数の開口部である、代替的な実施の形態ＡＥの方法である。
【００６４】
代替的な実施の形態ＡＨ
［００７６］  複数の開口部は均一に隔てられている、代替的な実施の形態ＡＧの方法である。
【００６５】
代替的な実施の形態ＡＩ
［００７７］  複数の開口部は不均一に隔てられている、代替的な実施の形態ＡＧの方法である。
【００６６】
代替的な実施の形態ＡＪ
［００７８］  少なくとも１つの突起は複数の突起である、代替的な実施の形態ＡＥの方法である。
【００６７】
代替的な実施の形態ＡＫ
［００７９］  複数の突起は、割り出し機構の周縁に沿って均一に隔てられている、代替的な実施の形態ＡＪの方法である。
【００６８】
代替的な実施の形態ＡＬ
［００８０］  少なくとも１つの開口部の数は、少なくとも１つの突起の数よりも少ない場合、センサ−分与器具は、試験−センサカートリッジと不適合である、代替的な実施の形態ＡＣの方法である。
【００６９】
代替的な実施の形態ＡＭ
［００８１］  試験−センサカートリッジは、積重ねた試験−センサカートリッジである、代替的な実施の形態ＡＣの方法である。
【００７０】
代替的な実施の形態ＡＮ
［００８２］  少なくとも１つの突起は、突き出し機構に配置される、代替的な実施の形態ＡＭの方法である。
【００７１】
代替的な実施の形態ＡＯ
［００８３］  少なくとも１つの突起の各々を相応する少なくとも１つの開口部内に受け入れることができる場合、センサ−分与器具は、試験−センサカートリッジと適合可能であり、また、少なくとも１つの突起を少なくとも１つの開口部内に受け入れることができない場合、センサ−分与器具は、試験−センサカートリッジと不適合である、代替的な実施の形態ＡＣの方法である。
【００７２】
代替的な実施の形態ＡＰ
［００８４］  試験センサカートリッジがセンサ−分与器具と適合可能であるかどうかを決定する方法において、
複数の試験センサを収容し得るようにされた少なくとも１つのキャビティを形成する複数の壁を含む試験−センサカートリッジであって、少なくとも１つのキャビティが複数の試験センサが流体試料中の被分析物の濃度を決定するのを助け得るようにされ、複数の壁の少なくとも１つに形成された少なくとも１つの突起を有する上記の試験−センサカートリッジを提供する行為と、
少なくとも１つの開口部が配置されたセンサ−分与器具を提供する行為と、
試験−センサカートリッジをセンサ−分与器具内に挿入する行為と、
少なくとも１つの開口部が少なくとも１つの突起の各々を受け入れ得るようにされているかどうかに基づいて試験センサカートリッジがセンサ−分与器具と適合可能であるかどうかを決定する行為とを備える、方法である。
【００７３】
代替的な実施の形態ＡＱ
［００８５］  複数の試験センサは電気化学的試験センサである、代替的な実施の形態ＡＰの方法である。
【００７４】
代替的な実施の形態ＡＲ
［００８６］  試験−センサカートリッジは、ブリスタ−パック型カートリッジである、代替的な実施の形態ＡＰの方法である。
【００７５】
代替的な実施の形態ＡＳ
［００８７］  少なくとも１つの開口部は少なくとも１つの切欠きである、代替的な実施の形態ＡＲの方法である。
【００７６】
代替的な実施の形態ＡＴ
［００８８］  少なくとも１つの開口部は複数の開口部である、代替的な実施の形態ＡＲの方法である。
【００７７】
代替的な実施の形態ＡＵ
［００８９］  複数の開口部は均一に隔てられている、代替的な実施の形態ＡＴの方法である。
【００７８】
代替的な実施の形態ＡＶ
［００９０］  複数の開口部は不均一に隔てられている、代替的な実施の形態ＡＴの方法である。
【００７９】
代替的な実施の形態ＡＷ
［００９１］  少なくとも１つの突起は複数の突起である、代替的な実施の形態ＡＲの方法である。
【００８０】
代替的な実施の形態ＡＸ
［００９２］  複数の突起は、少なくとも１つの壁の周縁に沿って均一に隔てられている、代替的な実施の形態ＡＷの方法である。
【００８１】
代替的な実施の形態ＡＹ
［００９３］  少なくとも１つの開口部の数が少なくとも１つの突起の数よりも少ない場合、センサ−分与器具は、試験−センサカートリッジと不適合である、代替的な実施の形態ＡＱの方法である。
【００８２】
代替的な実施の形態ＡＺ
［００９４］  少なくとも１つの突起の各々を相応する少なくとも１つの開口部内に受け入れることができる場合、センサ−分与器具は、試験−センサカートリッジと適合可能であり、また、少なくとも１つの突起を少なくとも１つの開口部内に受け入れることができない場合、センサ−分与器具は、試験−センサカートリッジと不適合である、代替的な実施の形態ＡＱの方法である。
【００８３】
代替的な実施の形態ＢＡ
［００９５］  試験−センサカートリッジにおいて、
流体試料中の被分析物の濃度を決定するのを助け得るようにされた複数の試験センサを収容し得るようにされた少なくとも１つのキャビティを形成する複数の壁と、
試験−センサカートリッジを挿入するのを助ける、カートリッジの表面上に形成された少なくとも１つの開口部とを備え、
試験−センサカートリッジは、カートリッジが適合可能である第一のセンサ−分与器具内にて割り出されたとき、試験−センサキャビティは、突き出し機構と整合され、
試験−センサカートリッジは、カートリッジが不適合である第二のセンサ−分与器具内にて割り出されたとき、試験−センサキャビティは、突き出し機構と整合されない、上記の試験−センサカートリッジである。
【００８４】
代替的な実施の形態ＢＢ
［００９６］  複数の試験センサは電気化学的試験センサである、代替的な実施の形態ＢＡのカートリッジである。
【００８５】
代替的な実施の形態ＢＣ
［００９７］  試験−センサカートリッジは、ブリスタ−パック型カートリッジである、代替的な実施の形態ＢＡのカートリッジである。
【００８６】
代替的な実施の形態ＢＤ
［００９８］  少なくとも１つの開口部は複数の開口部である、代替的な実施の形態ＢＣのカートリッジである。
【００８７】
代替的な実施の形態ＢＥ
［００９９］  複数の開口部は複数の切欠きである、代替的な実施の形態ＢＤのカートリッジである。
【００８８】
代替的な実施の形態ＢＦ
［００１００］  複数の開口部は、カートリッジの表面の周縁に沿って均一に隔てられている、代替的な実施の形態ＢＤのカートリッジである。
【００８９】
代替的な実施の形態ＢＧ
［００１０１］  第一のセンサ−分与器具の少なくとも１つの突起の数は、少なくとも１つの開口部の数と等しく又はそれよりも少ない、代替的な実施の形態ＢＣのカートリッジである。
【００９０】
代替的な実施の形態ＢＨ
［００１０２］  少なくとも１つの開口部は、カートリッジが第二のセンサ−分与器具内の割り出した位置にあるとき、少なくとも１つのキャビティが第二のセンサ−分与器具の突き出し機構と整合しないように配置される、代替的な実施の形態ＢＣのカートリッジである。
【００９１】
代替的な実施の形態ＢＩ
［００１０３］  少なくとも１つの開口部は、カートリッジがセンサ−分与器具内の割り出した位置にあるとき、少なくとも１つのキャビティが第二のセンサ−分与器具のセンサ−分与ポートと整合しないように配置される、代替的な実施の形態ＢＣのカートリッジである。
【００９２】
代替的な実施の形態ＢＪ
［００１０４］  少なくとも１つの開口部の各々は、第一のセンサ分与器具の相応する少なくとも１つの突起と全体として整合する、代替的な実施の形態ＢＡのカートリッジである。
【００９３】
［００１０５］  本発明は、色々な改変例及び代替的な形態にて具体化可能であるが、特定の実施の形態及びその方法を単に一例として図面に示し且つ本明細書にて詳細に説明した。しかし、これは、本発明を開示された特定の形態又は方法にのみ限定することを意図するものではなく、本発明は、特許請求の範囲により規定された本発明の要旨及び範囲に属する全ての改変例、等価物及び代替例を包含することを意図するものであることを理解すべきである。
【図面の簡単な説明】
【００９４】
【図１】１つの実施の形態に従った試験センサの頂面図である。
【図２】１つの実施の形態に従った挿入される試験−センサカートリッジを示す、開いた位置にあるセンサ−分与器具又は計器の斜視図である。
【図３】色々なポストの配列を有する割り出し機構の頂面図である。
【図４ａ】１つの実施の形態に従った試験−センサカートリッジの頂面図である。
【図４ｂ】図３ａ−図３ｃの割り出し機構と関係して使用される図４ａの試験−センサカートリッジの頂面図である。
【図４ｃ】図３ａ−図３ｃの割り出し機構と関係して使用される図４ａの試験−センサカートリッジの頂面図である。
【図４ｄ】図３ａ−図３ｃの割り出し機構と関係して使用される図４ａの試験−センサカートリッジの頂面図である。
【図４ｅ】図３ａ−図３ｃの割り出し機構と関係して使用される図４ａの試験−センサカートリッジの頂面図である。
【図５ａ】１つの実施の形態に従った試験−センサカートリッジの頂面図である。
【図５ｂ】図３ａ−図３ｃの割り出し機構と関係して使用される図５ａの試験−センサカートリッジの頂面図である。
【図５ｃ】図３ａ−図３ｃの割り出し機構と関係して使用される図５ａの試験−センサカートリッジの頂面図である。
【図５ｄ】図３ａ−図３ｃの割り出し機構と関係して使用される図５ａの試験−センサカートリッジの頂面図である。
【図５ｅ】図３ａ−図３ｃの割り出し機構と関係して使用される図５ａの試験−センサカートリッジの頂面図である。
【図６】別の実施の形態に従った挿入される試験−センサカートリッジを示す、開いた位置にあるセンサ−分与器具又は計器の斜視図である。
【図７ａ】１つの実施の形態に従った、積重ねた試験−センサカートリッジ及び突き出し機構の内部斜視図である。
【図７ｂ】図７ａの突き出し機構が内部に装着され且つ、図７ａの積重ねた試験−センサカートリッジと共に使用される計器の斜視図である。
【図８】更に別の実施の形態に従った挿入される試験−センサカートリッジを示す、開いた位置にあるセンサ−分与器具又は計器の斜視図である。
【図１】
2009536551.tif 000003
【図２】
2009536551.tif 000004
【図３ａ】
2009536551.tif 000005
【図３ｂ】
2009536551.tif 000006
【図３ｃ】
2009536551.tif 000007
【図３ｄ】
2009536551.tif 000008
【図４ａ】
2009536551.tif 000009
【図４ｂ】
2009536551.tif 000010
【図４ｃ】
2009536551.tif 000011
【図４ｄ】
2009536551.tif 000012
【図４ｅ】
2009536551.tif 000013
【図５ａ】
2009536551.tif 000014
【図５ｂ】
2009536551.tif 000015
【図５ｃ】
2009536551.tif 000016
【図５ｄ】
2009536551.tif 000017
【図５ｅ】
2009536551.tif 000018
【図６】
2009536551.tif 000019
【図７ａ】
2009536551.tif 000020
【図７ｂ】
2009536551.tif 000021
【図８】
2009536551.tif 000022
【国際調査報告】
2009536551.tif 000023
2009536551.tif 000024
2009536551.tif 000025